(57)【要約】  【課題】防水性を確保しつつ、ドームカバー装着の際にフォーカス調整を行うことができる監視カメラ装置を提供する。  【解決手段】レンズ３は着脱可能なドームカバー５に覆われている。フォーカス調整機構９は、撮像素子７を光軸方向に移動することによりフォーカス調整を行う。フォーカス設定操作部である設定ボタン１３は、ドームカバー５の内側に備えられ、ドームカバー５を装着する際に操作される。制御部１１は、フォーカス調整機構９を制御する。制御部１１は、設定ボタン１３が操作されてから、ドームカバー５を装着するのに要する標準的装着作業時間に応じて設定された所定のフォーカス起動待ち時間が経過するとフォーカス調整機構９にフォーカス調整を開始させる。【選択図】  図１
2008111945.tif 000002
【特許請求の範囲】
【請求項１】
レンズと、
前記レンズを覆う着脱可能なドームカバーと、
前記レンズにより形成される光学像から画像信号を生成する撮像素子と、
前記撮像素子を光軸方向に移動することによりフォーカス調整を行うフォーカス調整機構と、
前記ドームカバーの内側に備えられ、前記ドームカバーを装着する際に操作されるフォーカス設定操作部と、
前記フォーカス調整機構を制御し、前記フォーカス設定操作部が操作されてから、前記ドームカバーを装着するのに要する標準的装着作業時間に応じて設定された所定のフォーカス起動待ち時間が経過するとフォーカス調整を開始させるフォーカス調整制御部と、
を備えたことを特徴とする監視カメラ装置。
【請求項２】
フォーカス調整の起動待ち状態であることを示す起動待ち表示を行う起動待ちランプを有し、
前記フォーカス調整制御部は、前記フォーカス設定操作部が操作されてから前記フォーカス起動待ち時間が経過するまで前記起動待ちランプに前記起動待ち表示を行わせることを特徴とする請求項１に記載の監視カメラ装置。
【請求項３】
前記ドームカバーはバンダルプルーフタイプのカバーであることを特徴とする請求項１または２に記載の監視カメラ装置。
【請求項４】
前記ドームカバーの装着動作に伴って前記フォーカス設定操作部に接する位置に配置され、前記フォーカス設定操作部に接して前記フォーカス設定操作部に対して操作動作を行う操作発生部を有することを特徴とする請求項１ないし３のいずれかに記載の監視カメラ装置。
【発明の詳細な説明】
【技術分野】
【０００１】
本発明は、監視カメラ装置に関し、特に、監視カメラ装置のフォーカス調整機能に関する。
【背景技術】
【０００２】
従来、監視カメラ装置が普及しており、屋内用だけでなく屋外用の監視カメラ装置も提供されている。また、従来の箱型の監視カメラ装置に加えて、最近はドーム型の監視カメラ装置が普及している。
【０００３】
監視カメラ装置には、撮像素子を光軸方向に移動することによりフォーカス調整を行うフォーカス調整機能が備えられている。このような撮像素子の移動によるフォーカス調整は、バックフォーカス調整といわれる。バックフォーカス調整を自動的に行う技術も提案されている（例えば特許文献１）。以下、バックフォーカスの自動調整機能を単に「フォーカス調整機能」と呼ぶ。フォーカス調整機能は、下記のような場面で画像のぼけを低減する。
【０００４】
監視カメラ装置には、昼夜を通して使用するために、昼間のカラーモードと夜間の白黒モードを自動的に切り替える機能が備えられている。このような機能は例えばデイナイト機能といわれる。昼間のカラーモードでは、撮像素子の前に赤外線カットフィルタが配置される。これに対して、夜間の白黒モードでは赤外線カットフィルタが除去され、そのために入射光の平均波長がシフトする。さらに、赤外照明が設けられる場合は、照明波長もシフトする。波長がシフトすると、レンズの色収差によって合焦位置がずれる。そこで、合焦位置のずれによるぼけを低減するために、モード切替時にフォーカス調整機能によってフォーカスが調整される。
【０００５】
また、フォーカス調整機能は、ドーム型の監視カメラ装置の設置工事や調整作業においても好適に機能する。ドーム型の監視カメラ装置では、半球形状のドームカバーにレンズが覆われている。例えば、監視カメラ装置がバリフォーカルレンズを備える場合、カメラ設置時には、ドームカバー無しの状態で、露出したレンズのズームリングとフォーカスリングが手動で回されて、ズーム（画角）とフォーカスが調整される。そして、調整作業が終わるとドームカバーが装着される。このとき、半球形状のドームカバーが光学性能を持っているために、合焦位置がずれてしまい、ぼけが生じることがある。そこで、このようなぼけを低減するために、フォーカス調整機能によってフォーカス調整が行われる。
【０００６】
フォーカス調整機能は、カラーモードと白黒モードの切替え時には、フィルター除去をトリガーとして自動的に起動することができる。しかし、ドームカバー装着の際にはフォーカス調整機能を自動的に起動することはできない。そのため、ドームカバー装着の際にフォーカス調整機能を起動するためのトリガーを発生する構成が必要である。
【０００７】
このような要求に応えるため、従来の監視カメラ装置では、フォーカス調整機能を起動する外部スイッチがケース外面に備えられている。ドームカバーが装着され、それから外部スイッチが操作されて、フォーカス調整が行われる。スイッチを外面に設けるのは、カバー装着後にスイッチを操作しなければならないからである。
【０００８】
その他、監視カメラ装置にコントローラ装置を接続できる場合、コントローラを使ってフォーカス調整機能を起動するトリガーを発生することができる。例えば、小型のコントローラが監視カメラ装置とケーブルで接続される。そして、コントローラ上でメニュー画面が開かれて、フォーカス調整の指示がトリガーとして入力される。
【特許文献１】特開２００６−１４８２９９号公報
【発明の開示】
【発明が解決しようとする課題】
【０００９】
しかしながら、従来の監視カメラ装置においては、防水性を要求されない屋内用監視カメラ装置ではフォーカス調整の起動のための外部スイッチを設けることができたが、屋外用監視カメラ装置では、防水性を確保する上で外部スイッチが不利であり、また外観上も外部スイッチは不利であるという問題があった。そして外部スイッチを設けられない場合にはカバー装着の際のフォーカス調整も行えなくなるという問題があった。
【００１０】
なお、上述したように外部コントローラを接続できれば、外部スイッチを設けなくてもフォーカス調整を起動可能である。しかし、一般に、外部コントローラは監視カメラ装置とは別にユーザに供給されており、すべてのユーザが外部コントローラを所有している訳ではない。むしろ、かなりのユーザが外部コントローラを持っていないといった方が妥当である。このような点を考慮して、監視カメラ装置には、外部コントローラを接続せずとも必要な機能を果たすことが望まれ、そのような機能にフォーカス調整も含まれる。そのため、外部コントローラを接続できる場合であっても、外部コントローラ無しでもフォーカス調整機能を起動する構成が求められる。
【００１１】
上記の問題は、バンダルプルーフタイプの監視カメラ装置において顕著である。バンダルプルーフタイプの監視カメラ装置は、破壊防止のための堅牢性を備えている。この場合、厚肉カバーが設けられるので、ドームカバーでの光路長変化が大きくなり、そのために上記問題が顕著になる。
【００１２】
本発明は、従来の問題を解決するためになされたもので、その目的は、防水性を確保しつつ、ドームカバー装着の際にフォーカス調整を行うことができる監視カメラ装置を提供することにある。
【課題を解決するための手段】
【００１３】
本発明の監視カメラ装置は、レンズと、前記レンズを覆う着脱可能なドームカバーと、前記レンズにより形成される光学像から画像信号を生成する撮像素子と、前記撮像素子を光軸方向に移動することによりフォーカス調整を行うフォーカス調整機構と、前記ドームカバーの内側に備えられ、前記ドームカバーを装着する際に操作されるフォーカス設定操作部と、前記フォーカス調整機構を制御し、前記フォーカス設定操作部が操作されてから、前記ドームカバーを装着するのに要する標準的装着作業時間に応じて設定された所定のフォーカス起動待ち時間が経過するとフォーカス調整を開始させるフォーカス調整制御部と、を備えている。
【００１４】
この構成により、フォーカス設定操作部が操作されてから上記のフォーカス待ち時間が経過してからフォーカス調整機能が起動するので、フォーカス設定操作部がカバー装着前に操作されても、カバー装着後にフォーカス調整を起動できる。これにより、フォーカス設定操作部がカバー内にあっても、カバー装着後のフォーカス調整起動が可能になる。したがって、フォーカス設定操作部をカバー内に設けて防水性を確保しつつ、ドームカバー装着の際にフォーカス調整を行うことができる。
【００１５】
また、本発明の監視カメラ装置は、フォーカス調整の起動待ち状態であることを示す起動待ち表示を行う起動待ちランプを有し、前記フォーカス調整制御部は、前記フォーカス設定操作部が操作されてから前記フォーカス起動待ち時間が経過するまで前記起動待ちランプに前記起動待ち表示を行わせる。
【００１６】
この構成により、起動待ちランプの起動待ち表示によって、フォーカス調整の起動待ち状態を作業員に伝えることができる。フォーカス設定操作部の操作からフォーカス起動待ち時間が経過してしまうと起動待ち表示を終了することにより、フォーカス調整機能の起動前にカバー装着を完了できたか否かを作業員に把握させることができる。
【００１７】
また、本発明の監視カメラ装置において、前記ドームカバーはバンダルプルーフタイプのカバーである。この構成により、光路長変化が比較的大きいバンダルプルールタイプの厚肉のカバーを備える監視カメラ装置において、フォーカス調整によって好適にぼけを低減できる。
【００１８】
また、本発明の監視カメラ装置は、前記ドームカバーの装着動作に伴って前記フォーカス設定操作部に接する位置に配置され、前記フォーカス設定操作部に接して前記フォーカス設定操作部に対して操作動作を行う操作発生部を有する。この構成により、フォーカス設定操作部を手動で操作する必要がなくなり、作業が簡素化される。
【発明の効果】
【００１９】
本発明は、フォーカス設定操作部をドームカバー内に備えると共に、フォーカス設定操作部が操作されてからフォーカス待ち時間が経過してからフォーカス調整機能を起動するように構成したので、防水性を確保しつつ、ドームカバー装着の際にフォーカス調整を行うことができるという効果を有する監視カメラ装置を提供することができる。
【発明を実施するための最良の形態】
【００２０】
以下、本発明の実施の形態の監視カメラ装置について、図面を用いて説明する。
【００２１】
本発明の実施の形態に係る監視カメラ装置を図１に示す。図１において、監視カメラ装置１は、レンズ３と、レンズ３を覆う着脱可能なドームカバー５と、撮像素子７と、撮像素子７を光軸方向に移動するフォーカス調整機構９と、カメラ全体を制御すると共に本発明のフォーカス調整制御部として機能する制御部１１と、作業員によりフォーカス調整のために操作される設定ボタン１３と、フォーカス調整機能の状態表示を行う起動待ちランプ１５と、モニタ出力端子１７とを備えている。
【００２２】
上記構成において、レンズ３はバリフォーカルレンズであり、ズーム（画角）調整とフォーカス調整が手動で行われる。レンズ３のパン機構とチルト機構も備えられている。撮像素子７は例えばＣＣＤまたはＣＭＯＳで構成される。レンズ３および撮像素子７は、ドームカバー５を通して被写体を撮影する。レンズ３により被写体の光学像が撮像素子７の撮像面に形成され、撮像素子７により光学像から電気的な画像信号が生成される。
【００２３】
フォーカス調整機構９はモータ１９を備えており、モータ１９の動力によって撮像素子７を光軸方向に移動することによりバックフォーカスを調整する。フォーカス調整機構９の構成例については後述する。
【００２４】
制御部１１は、マイクロコンピュータで構成されており、カメラ全体を制御する。制御部１１には撮像素子７から画像信号が入力される。そして、画像信号は映像出力信号として外部へ出力される。映像信号は例えば遠隔地の監視室へと送信される。
【００２５】
制御部１１は、フォーカス調整機構９を制御することによって本発明のフォーカス調整制御部としても機能する。本実施の形態では、画像信号に基づいてパッシブ方式のフォーカス調整が行われる。制御部１１は、フォーカス調整機構９を制御して撮像素子７を移動させ、画像信号からフォーカス状態の変化を検出し、最もよくピントが合う位置で撮像素子７を停止させる。フォーカス状態は例えば画像信号の高域周波数成分の大きさから判断される。このようにして本実施の形態ではバックフォーカスが自動的に調整される。
【００２６】
設定ボタン１３は、本発明のフォーカス設定操作部に相当する構成であり、フォーカス調整機能を起動するために作業員により操作される。設定ボタン１３は後述するようにドームカバー５の内側に備えられている。フォーカス調整を行う際は、作業員により設定ボタン１３が押され、それからドームカバー５が装着され、設定ボタン１３がドームカバー５に覆われる。
【００２７】
設定ボタン１３が押されると、ボタン操作の信号が、フォーカス調整のトリガー信号として制御部１１に入力される。制御部１１はトリガー信号に応答してフォーカス調整を行う。ただし、本実施の形態では、制御部１１は、ボタン操作のトリガー信号が入力されても即座にはフォーカス調整を開始しない。制御部１１は、タイマー２１を有しており、ボタン操作が行われた後、所定のフォーカス起動待ち時間が経過してからフォーカス調整を開始する。
【００２８】
フォーカス起動待ち時間は、ドームカバー５を装着するのに要する標準的作業時間に応じて設定されている。より詳細には、標準的作業時間に適当な余裕時間を加えた時間が、フォーカス起動待ち時間として予め定めされている。このフォーカス起動待ち時間が制御部１１に制御プログラムの一部として予め記憶されており、制御部１１の制御処理に使われる。
【００２９】
起動待ちランプ１５は、ＬＥＤで構成されており、制御部１１に制御されて点灯する。起動待ちランプ１５は、フォーカス調整の起動待ち状態であることを示す起動待ち表示を行う。制御部１１は、フォーカス設定操作部である設定ボタン１３が操作されてから上記のフォーカス起動待ち時間が経過するまでの間、起動待ちランプ１５に起動待ち表示を行わせる。具体的には起動待ちランプ１５が点滅される。起動待ちランプ１５のＬＥＤは、起動待ち表示以外の状態表示にも用いられてよい。
【００３０】
モニタ出力端子１７には、モニタ２３が接続される。モニタ２３はカメラ設置作業や調整作業用の小型のモニタであり、作業員により携帯される。作業員はモニタ２３をモニタ出力端子１７に接続して、モニタ画像を見ながら、レンズ３の調整作業を行う。調整作業としてはパン角調整、チルト角調整、ズーム調整およびピント調整が行われる。
【００３１】
なお、フォーカス調整は、上述した設定ボタン１３の操作時以外に、昼間用のカラーモードと夜間用の白黒モードの切替時にも行われる。図１には示されないが、撮像素子７の前には赤外線カットフィルタが備えられている。赤外線カットフィルタはフィルタ移動機構によって移動される。白黒モードからカラーモードへの切替時にはフィルタが光軸上に挿入され、カラーモードから白黒モードへの切替時にはフィルタが光軸上から外される。このフィルタ切替に伴いフォーカス位置がずれる。そこで、フィルタ切替をトリガーとしてフォーカス調整が制御部１１により行われる。
【００３２】
図２は、監視カメラ装置１の分解斜視図であり、ドームカバー５が外された状態を示している。レンズ３はベース部３１に備えられている。レンズ３は、パン角およびチルト角を調整可能に設けられている。また、レンズ３はバリフォーカルレンズであり、ズームリングとフォーカスリングを備えている。これらリングが手動で回され、ズーム（画角）とフォーカスが調整される。
【００３３】
ドームカバー５は、レンズ３を覆うようにベース部３１に取り付けられる。ドームカバー５は半球形状を有する透明または半透明のカバーである。本実施の形態ではドームカバー５がバンダルプルーフタイプであり、破壊しにくい厚肉カバーである。好適な例ではドーム内径が１０５ｍｍであり、カバー肉厚は３．５ｍｍである。
【００３４】
図ではドームカバー５が上側に示されているが、設置時はベース部３１が上側に配置され、ドームカバー５の天頂が下方を向いてもよい。この場合、監視カメラ装置１の姿勢は図２と逆になる。
【００３５】
ドームカバー５は３本の取付ねじ３３でベース部３１に取り付けられる。より詳細には、ドームカバー５はその周囲のケース３５と一体化されており、ケース３５が取付ねじ３３によりベース部３１に取り付けられ、これによりドームカバー５も取り付けられる。本実施の形態では監視カメラ装置１が屋外用であり、ドームカバー５はケース３５と共に、ベース部３１に取り付けられたときに監視カメラ装置１の防水性を確保するように構成されている。本明細書では、ケース３５も含めてドームカバー５と呼ぶ。
【００３６】
また、上述したフォーカス起動待ち時間はドームカバー５の取付の標準的作業時間に応じて設定されるが、この標準的作業時間は、ドームカバー５を所定位置でベース部３１に被せて、取付ねじ３３で固定するのに要する標準的な時間である。この例の場合、好適なフォーカス起動待ち時間は例えば３分である。
【００３７】
また、図示のように、ベース部３１にはスイッチ基板３７が取り付けられている。スイッチ基板３７はレンズ３の脇に配置されている。スイッチ基板３７は、制御部であるマイクロコンピュータへと接続されている。マイクロコンピュータは図示されないがレンズ３の後ろの円筒部３９内に備えられている。
【００３８】
図３に示すように、スイッチ基板３７には設定ボタン１３、起動待ちランプ１５およびモニタ出力端子１７が備えられている。設定ボタン１３はプッシュタイプのスイッチで構成されており、他の幾つかのボタンと並んでスイッチ基板３７上に実装されている。起動待ちランプ１５はＬＥＤであり、設定ボタン１３の近傍に実装されている。また、モニタ出力端子１７は上述したようにモニタと接続される端子であり、パン角、チルト角、ズーム、フォーカスなどの調整はモニタ画像を見ながら行われる。
【００３９】
スイッチ基板３７はドームカバー５の内側に配置されており、したがって、ドームカバー５が装着されると、スイッチ基板３７はレンズ３と共にドームカバー５に覆われ、設定ボタン１３、起動待ちランプ１５およびモニタ出力端子１７もドームカバー５に覆われる。このようにして、本実施の形態では、フォーカス調整開始のための操作部材に関しての防水性が確保されている。
【００４０】
図４は、フォーカス調整機構９を模式的に示している。図４において、レンズ３は固定部であるレンズマウント５１に備えられている。一方、撮像素子７は、可動部であるカムベース５３に備えられている。なお、固定部、可動部は、フォーカス調整機構において移動する部材と移動しない部材を意味している。監視カメラ装置１の全体としては、固定部および可動部は一緒になってパン方向およびチルト方向に回動されてよい。
【００４１】
レンズマウント５１とカムベース５３の間には、中間板５５が挟まれている。中間板５５とレンズマウント５１の間には鋼球５７が挟まれている。中間板５５とカムベース５３の間にも鋼球５７が挟まれている。鋼球５７はカムベース４３のカム部５９と接している。カム部５９は螺旋型カムであり、光軸を中心とする円に沿って高さが変化する螺旋状の傾斜面を有している。この傾斜面がカム面であり、カム面に鋼球５７が接している。また、付勢バネ６１はカムベース５３をレンズマウント５１へ向けて付勢している。
【００４２】
カムベース５３は、回転不能であるが、光軸方向には移動可能である。したがって、中間板５５が回転すると、鋼球５７に対してカム部が移動し、カムベース５３が光軸方向に移動し、撮像素子７も光軸方向に移動する。
【００４３】
中間板５５はモータ１９によって回転される。モータ１９はステッピングモータである。モータ１９の回転を中間板５５に伝達するために減速機構７１が設けられている。減速機構７１においては、モータギア７３が第１ギア７５と噛み合っている。第１ギア７５と第２ギア７７が同軸に取り付けられており、第２ギア７７は、中間板５５の外周に設けられた大径ギア７９と噛み合っている。モータギア７３はウォームギアであり、第１ギア７５はハスバギアであり、これらによって回転方向が変換される。第２ギア７７および大径ギア７９は平歯ギアである。モータ１９が回転すると、これらギアによってモータ回転が中間板５５に伝わり、中間板５５が回転し、カム機構によって撮像素子７が移動する。
【００４４】
なお、減速機構７１の減速比は例えば下記のように設定される。モータギア７３と第１ギア７５の減速比が１／１８に設定され、第２ギア７７と大径ギア７９の減速比が１８／１４５に設定され、これによりトータルの減速比が１／１４５に設定される。
【００４５】
以上に、本実施の形態に係る監視カメラ装置１の構成について説明した。次に、監視カメラ装置１の動作を説明する。以下では、まず、カメラ設置工事などでの調整作業について簡単に説明し、それから、本実施の形態に特徴的なフォーカス調整開始の動作について説明する。
【００４６】
カメラ設置工事では、ドームカバー５を取りはずした状態で、ベース部３１がカメラ設置場所に固定される。そして、カバー無しの状態でレンズ３の調整作業が行われる。調整作業では、モニタ２３がモニタ出力端子１７に接続される。そして、モニタ画像を見ながら、パン機構とチルト機構が手動で操作されて、パン角とチルト角が調整される。調整後にパン機構とチルト機構はロックされる。また、調整作業では、ズームリングとフォーカスリングが操作されて、ズーム（画角）調整とフォーカス調整も行われる。この調整作業もモニタ画像を見ながら行われる。そして、ズームリングとフォーカスリングがロックされる。
【００４７】
これらの作業が終わると、モニタ２３がモニタ出力端子１７から取り外され、ドームカバー５がレンズ３に被せられて、ベース部３１に取付ねじ３３で取り付けられる。このとき、ドームカバー５を取り付ける前に設定ボタン１３が押される。すなわち、設定ボタン１３が押されてからドームカバー５が取り付けられる。設定ボタン１３が押されると、制御部１１は下記のようにフォーカス調整を行う。
【００４８】
図５は、制御部１１によるフォーカス調整の動作を示している。制御部１１は、トリガー操作が行われたか否かを判定する（Ｓ１）。設定ボタン１３が押されると、制御部１１はトリガー操作が行われたと判定する。設定ボタン１３が押されなければ、ステップＳ１の判断がＮｏになり、処理はリターンする。
【００４９】
設定ボタン１３が押されると、ステップＳ１の判断がＹｅｓになり、制御部１１は、タイマー２１による計時をスタートする（Ｓ３）。また、制御部１１は、起動待ちランプ１５を制御して点滅を開始させる（Ｓ５）。この点滅は、フォーカス調整の起動待ち状態であることを示す起動待ち表示に相当する。
【００５０】
制御部１１は、タイマースタートからの経過時間がフォーカス起動待ち時間に達したか否かを判定する（Ｓ３７）。フォーカス起動待ち時間が経過していなければ、ステップＳ３７の判断が継続される。フォーカス起動待ち時間が経過すると、制御部１１は、起動待ちランプ１５の点滅を終了させ（Ｓ９）、フォーカス調整を行う（Ｓ１１）。制御部１１は、フォーカス調整では、モータ１９を回転させて撮像素子７を移動する。そして、制御部１１は、画像信号の変化を検出し、画像のピントが最もよく合ったときにモータ１９を停止し、そのときの位置で撮像素子７を停止させる。フォーカス調整が終わると、処理はリターンする。
【００５１】
以上に監視カメラ装置１の動作について説明した。次に、本実施の形態の応用例について説明する。上記の実施の形態では、フォーカス設定操作部である設定ボタン１３が作業員により操作された。これに対して、監視カメラ装置１は、以下のように操作発生部を有し、操作発生部によりフォーカス設定操作部の操作が行われてよい。操作発生部は、ドームカバー５の装着動作に伴ってフォーカス設定操作部に接する位置に配置され、フォーカス設定操作部に接してフォーカス設定操作部に対して操作動作を行う部材である。
【００５２】
例えば、フォーカス設定操作部は設定ボタン１３と同様のプッシュスイッチである。そして、操作発生部は、ドームカバー５に設けられる突起であり、より詳細にはドームカバー５の周囲のケース内面に設けられてよい。ドームカバー５を取り付けるときに、突起がプッシュスイッチを押し、これによりプッシュスイッチが操作状態になる。また、操作発生部はカバー取付ねじによって実現されてもよい。カバー取付ねじによりプッシュスイッチが押されて、プッシュスイッチが操作状態になってよい。
【００５３】
このように操作発生部を設けることにより、作業者がフォーカス設定操作部を手で操作しなくても自動的にフォーカス調整が行われ、作業が容易になる。
【００５４】
以上に本発明の実施の形態に係る監視カメラ装置１について説明した。本実施の形態によれば、フォーカス設定操作部である設定ボタン１３が操作されてから上記のフォーカス待ち時間が経過してからフォーカス調整機能が起動するので、フォーカス設定操作部がカバー装着前に操作されても、カバー装着後にフォーカス調整を起動できる。これにより、フォーカス設定操作部がカバー内にあっても、カバー装着後のフォーカス起動が可能になる。したがって、フォーカス設定操作部をカバー内に設けて防水性を確保しつつ、ドームカバー装着の際にフォーカス調整を行うことができる。
【００５５】
また、本実施の形態によれば、起動待ちランプ１５が設けられている。制御部１１は、フォーカス設定操作部が操作されてからフォーカス起動待ち時間が経過するまで起動待ちランプ１５に起動待ち表示を行わせる。これにより、フォーカス調整の起動待ち状態を作業員に伝えることができる。フォーカス設定操作部の操作からフォーカス起動待ち時間が経過してしまうと起動待ち表示が終了するので、フォーカス調整機能の起動前にカバー装着を完了できたか否かを作業員に把握させることができる。
【００５６】
また、本実施の形態によれば、ドームカバー５がバンダルプルーフタイプのカバーである。これにより、光路長変化が比較的大きいバンダルプルールタイプの厚肉のカバーを備える監視カメラ装置１において、フォーカス調整によって好適にぼけを低減できる。
【００５７】
また、本実施の形態によれば、上記のように、ドームカバー５の装着動作に伴ってフォーカス設定操作部に接する位置に操作発生部が設けられ、操作発生部は、フォーカス設定操作部に接してフォーカス設定操作部に対して操作動作を行ってよい。これにより、フォーカス設定操作部を手動で操作する必要がなくなり、作業が簡素化される。
【００５８】
以上に本発明の好適な実施の形態を説明した。しかし、本発明は上述の実施の形態に限定されず、当業者が本発明の範囲内で上述の実施の形態を変形可能なことはもちろんである。
【産業上の利用可能性】
【００５９】
以上のように、本発明にかかる監視カメラ装置は、フォーカス設定操作部をドームカバー内に備えると共に、フォーカス設定操作部が操作されてからフォーカス待ち時間が経過してからフォーカス調整機能を起動するので、防水性を確保しつつ、ドームカバー装着の際にフォーカス調整を行うことができるという効果を有し、屋外用監視カメラ等として有用である。
【図面の簡単な説明】
【００６０】
【図１】本発明の実施の形態に係る監視カメラ装置のブロック図
【図２】本発明の実施の形態に係る監視カメラ装置の分解斜視図
【図３】設定ボタンを搭載したスイッチ基板を示す図
【図４】監視カメラ装置のフォーカス調整機構を示す図
【図５】本発明の実施の形態における監視カメラ装置の動作説明のためのフロー図
【符号の説明】
【００６１】
１  監視カメラ装置
３  レンズ
５  ドームカバー
７  撮像素子
９  フォーカス調整機構
１１  制御部
１３  設定ボタン
１５  起動待ちランプ
１７  モニタ出力端子
１９  モータ
２１  タイマー
【図１】
2008111945.tif 000003
【図２】
2008111945.tif 000004
【図３】
2008111945.tif 000005
【図４】
2008111945.tif 000006
【図５】
2008111945.tif 000007